(57)【要約】【課題】弁箱の軸線と配管系の管軸およびバルブステムの軸線を水平に配した横置きに設置しても、弁箱ガイドの摺接面でディスクガイドの摺接面を支えて、弁ディスクを進退移動させるためのガイドの役割を果たすことができるとともに、平置きおよび立置きにも対応できる機能を備えたダブルディスクゲート弁を提供する。【解決手段】ディスクガイド１１，１１の摺接面１１Ａと弁箱ガイド１３，１３の摺接面１３Ａを第１軸線Ｃ１と第２軸線Ｃ２の両軸線に直交する第３軸線Ｃ３に４５゜の傾斜角で交差する方向に指向して互いに対向させ、ディスクガイド１２，１２の摺接面１２Ａと弁箱ガイド１４，１４の摺接面１４Ａを前記第３軸線Ｃ３に４５゜の傾斜角で交差する方向に指向し、かつ第３軸線Ｃ３を対称軸として、ディスクガイド１１，１１と弁箱ガイド１３，１３に対称に配置する。【選択図】　　　　図１
2004036858.tif 000002
【特許請求の範囲】
【請求項１】
弁箱の第１軸線方向に離間して対向配置された１対の弁ディスクのそれぞれにディスクガイドが設けられ、これらディスクガイドが前記第１軸線に直交するバルブステムの第２軸線に平行にのびて該弁箱に設けられた弁箱ガイドに摺接して、弁箱とこの弁箱を閉塞するボンネットの内部での前記弁ディスクの進退移動を案内するように構成したダブルディスクゲート弁において、前記ディスクガイドと弁箱ガイドの摺接面が前記第１軸線と第２軸線の両軸線に直交する第３軸線に交差する方向に指向して互いに対向していることを特徴とするダブルディスクゲート弁。
【発明の詳細な説明】
【０００１】
【発明の属する技術分野】
本発明は、たとえば石油精製プラントにおける配管系への使用に好適なダブルディスクゲート弁に関する。
【０００２】
【従来の技術】
この種のダブルディスクゲート弁は、図３，図４および図５に示すように、弁箱１と、弁箱１の第１軸線Ｃ１方向に離間して対向配置された１対の弁ディスク２，３と、先端が弁ディスク２，３に接続されて両弁ディスク２，３を第１軸線Ｃ１に直交する第２軸線Ｃ２方向に進退移動させて開閉するバルブステム４と、バルブステム４の先端に配設されて、弁ディスク２，３を、図３の全閉位置で離間方向（図の左右方向）に付勢するウエッジ５を具備し、弁箱１の上部開口がバルブステム４を気密かつ摺動自在に挿通したボンネット６によって気密に覆われた構成になっている。そして、弁箱１には、１対の弁箱シートリング７，８が対向配設され、弁ディスク２，３には、弁箱シートリング７，８に対応する弁シートリング９，１０が設けられ、弁シートリング９の両側に１対のディスクガイド１１，１１を設け、弁シートリング１０の両側に１対のディスクガイド１２，１２を設け、これらディスクガイド１１，１１、１２，１２に対応する弁箱ガイド１３，１３、１４，１４が第２軸線Ｃ２に平行にのびて弁箱１に設けられている。
【０００３】
したがって、図示していない油圧シリンダなどの駆動源によって、バルブステム４を往復移動（図示例では昇降）させることで、ディスクガイド１１，１１、１２，１２を弁箱ガイド１３，１３、１４，１４に摺接させながら、図３の全閉位置にある弁ディスク２，３が図４の全開位置まで上昇し、また、図４の全開位置にある弁ディスク２，３が図３の全閉位置まで下降して弁箱１を開閉し、配管系１５内の流体Ｆの流れを流通または遮断する。なお、弁ディスク２，３の下降は、その下端（先端）がストッパ１６に当接する状態で完了し、弁シートリング９，１０の全周が弁箱シートリング７，８の全周にほぼ均等に当接する。つまり全閉位置では、弁シ−トリング９，１０が弁箱シートリング７，８に合致する。弁ディスク２，３の移動が完了しても、僅かにバルブステム４が閉じ方向に移動する。その結果、ウエッジ５のくさび作用によって弁ディスク２，３が押し拡げられ、弁シートリング９，１０の全周を弁箱シートリング７，８の全周に強く圧接させることで高いシ−ル性が確保される。なお、図中１７は弁ディスク２，３の傾きを防止する支柱を示す。
【０００４】
この種のダブルディスクゲート弁は、図６のような、弁箱１の第１軸線Ｃ１と配管系１５の管軸を鉛直に配し、バルブステム４の第２軸線Ｃ２を水平に配した平置き、または、図７のような、弁箱１の第１軸線Ｃ１と配管系１５の管軸を水平に配し、バルブステム４の第２軸線Ｃ２を鉛直に配した立置きに設置される。
【０００５】
図６に示す配管系１５の流体Ｆの流れ方向が下向きの平置きで、たとえば、図５に示すディスクガイド１１，１１と弁箱ガイド１３，１３が第１軸線Ｃ１方向の上側に位置し、ディスクガイド１２，１２と弁箱ガイド１４，１４が第１軸線Ｃ１方向の下側に位置しているダブルディスクゲート弁では、ディスクガイド１１，１１、１２，１２の摺接面１１Ａ，１２Ａおよび弁箱ガイド１３，１３、１４，１４の摺接面１３Ａ，１４Ａが第１軸線Ｃ１と第２軸線Ｃ２の両軸線に直交する第３軸線Ｃ３に平行な水平姿勢で互いに対向しているので、鉛直下向きに作用する弁ディスク２，３の重力と配管系１５の流体圧は、下側の弁箱ガイド１４，１４の摺接面１４Ａで下側のディスクガイド１２，１２の摺接面１２Ａを支えることによって、弁ディスク２，３を進退移動させるためのガイドの役割を果たしている。
【０００６】
また、図７に示す配管系１５の流体Ｆの流れ方向が右向きの立置きで、たとえば、図５に示すディスクガイド１１，１１と弁箱ガイド１３，１３が第１軸線Ｃ１方向の左側に位置し、ディスクガイド１２，１２と弁箱ガイド１４，１４が第１軸線Ｃ１方向の右側に位置しているダブルディスクゲート弁では、ディスクガイド１１，１１、１２，１２の摺接面１１Ａ，１２Ａおよび弁箱ガイド１３，１３、１４，１４の摺接面１３Ａ，１４Ａが第１軸線Ｃ１と第２軸線Ｃ２の両軸線に直交する第３軸線Ｃ３に平行な鉛直姿勢で互いに対向しているので、水平右向きに作用する配管系１５の流体圧を、右側の弁箱ガイド１４，１４の摺接面１４Ａで右側のディスクガイド１２，１２の摺接面１２Ａを支えることによって、弁ディスク２，３を進退移動させるためのガイドの役割を果たしている。
【０００７】
【発明が解決しようとする課題】
ところが、前記従来のダブルディスクゲート弁を、図８のように、弁箱１の第１軸線Ｃ１と配管系１５の管軸を水平に配し、バルブステム４の第２軸線Ｃ２を水平に配した横置きに設置すると、ディスクガイド１１，１１、１２，１２の摺接面１１Ａ，１２Ａおよび弁箱ガイド１３，１３、１４，１４の摺接面１３Ａ，１４Ａが第１軸線Ｃ１と第２軸線Ｃ２の両軸線に直交する第３軸線Ｃ３に平行な鉛直姿勢で互いに対向するにもかかわらず、弁ディスク２，３の重力は鉛直下向きに作用することになるので、弁箱ガイド１３，１３、１４，１４の摺接面１３Ａ，１４Ａでディスクガイド１１，１１、１２，１２の摺接面１１Ａ，１２Ａを支えて、弁ディスク２，３を進退移動させるためのガイドの役割を果たすことができなくなる。このため、弁箱１の第１軸線Ｃ１と配管系１５の管軸およびバルブステム４の第２軸線Ｃ２を水平に配した横置きに設置する要望に答えることができなかった。
【０００８】
本発明は、このような事情に鑑みてなされたもので、弁箱の軸線と配管系の管軸およびバルブステムの軸線を水平に配した横置きに設置しても、弁箱ガイドの摺接面でディスクガイドの摺接面を支えて、弁ディスクを進退移動させるためのガイドの役割を果たすことができるとともに、平置きおよび立置きにも対応できる機能を備えたダブルディスクゲート弁を提供することを目的としている。
【０００９】
【課題を解決するための手段】
前記目的を達成するために、本発明に係るダブルディスクゲート弁は、弁箱の第１軸線方向に離間して対向配置された１対の弁ディスクのそれぞれにディスクガイドが設けられ、これらディスクガイドが前記第１軸線に直交するバルブステムの第２軸線に平行にのびて該弁箱に設けられた弁箱ガイドに摺接して、弁箱とこの弁箱を閉塞するボンネットの内部での前記弁ディスクの進退移動を案内するように構成したダブルディスクゲート弁において、前記ディスクガイドと弁箱ガイドの摺接面が前記第１軸線と第２軸線の両軸線に直交する第３軸線に交差する方向に指向して互いに対向していることを特徴としている。
【００１０】
本発明によれば、弁箱の第１軸線と配管系の管軸およびバルブステムの第２軸線を水平に配した横置きに設置することで、弁ディスクの重力が鉛直下向きに作用しても、下側の弁箱ガイドの摺接面で下側のディスクガイドの摺接面を支えて、弁ディスクを進退移動させるためのガイドの役割を果たすことができる。また、弁箱の第１軸線と配管系の管軸を鉛直に配し、バルブステムの第２軸線を水平に配した平置きに設置することで、弁ディスクの重力と配管系の流体圧が鉛直下向きに作用しても、下側の弁箱ガイドの摺接面で下側のディスクガイドの摺接面を支えることによって、弁ディスクを進退移動させるためのガイドの役割を果たすことができる。さらに、弁箱の第１軸線と配管系の管軸を水平に配し、バルブステムの第２軸線を鉛直に配した立置きに設置することで、配管系の流体圧が横向きに作用しても、流体の流れ方向下流側の弁箱ガイドの摺接面で下流側のディスクガイドの摺接面を支えることによって、弁ディスクを進退移動させるためのガイドの役割を果たすことができる。
【００１１】
【発明の実施の形態】
以下、本発明の一実施の形態を図面に基づいて説明する。図１は本発明の要部を示す図５に相当する平面断面図である。なお、本発明の特徴はディスクガイドと弁箱ガイドにあり、その他の構造および作用は図３〜図８で説明した従来例と同じであるので、重複する部分の図示と構造および作用の説明は省略し、従来例と同一部分には同一符号を付して説明する。
【００１２】
図１において、ダブルディスクゲート弁は、ディスクガイド１１，１１の摺接面１１Ａと弁箱ガイド１３，１３の摺接面１３Ａが第１軸線Ｃ１と第２軸線Ｃ２の両軸線に直交する第３軸線Ｃ３にθ＝４５゜の傾斜角で交差する方向に指向して互いに対向しているとともに、ディスクガイド１２，１２の摺接面１２Ａと弁箱ガイド１４，１４の摺接面１４Ａが第１軸線Ｃ１と第２軸線Ｃ２の両軸線に直交する第３軸線Ｃ３に４５゜の傾斜角で交差する方向に指向し、かつ第３軸線Ｃ３を対称軸として、ディスクガイド１１，１１と弁箱ガイド１３，１３に対称に配置されている。つまり、ディスクガイド１１，１１、１２，１２の摺接面１１Ａ，１２Ａと弁箱ガイド１３，１３、１４，１４の摺接面１３Ａ，１４Ａは、図１の平面上で第１軸線Ｃ１から離れるにつれて第３軸線Ｃ３に近付く方向に傾斜して第３軸線Ｃ３に交差している。
【００１３】
このような構成であれば、図８に示すように、弁箱１の第１軸線Ｃ１と配管系１５の管軸およびバルブステム４の第２軸線Ｃ２を水平に配した横置きに設置することで、弁ディスク２，３の重力が鉛直下向きに作用しても、図１の下側の弁箱ガイド１４，１４の摺接面１４Ａで下側のディスクガイド１２，１２の摺接面１２Ａを支えて、弁ディスク２，３を進退移動させるためのガイドの役割を果たすことができるので、弁箱１の第１軸線Ｃ１と配管系１５の管軸およびバルブステム４の第２軸線Ｃ２を水平に配した横置きに設置する要望に答えることができる。
【００１４】
また、図６に示すように、弁箱１の第１軸線Ｃ１と配管系１５の管軸を鉛直に配し、バルブステム４の第２軸線Ｃ２を水平に配した平置きに設置することで、弁ディスク２，３の重力と配管系１５の流体圧が鉛直下向きに作用しても、図１の下側の弁箱ガイド１４，１４の摺接面１４Ａで下側のディスクガイド１２，１２の摺接面１２Ａを支えることによって、弁ディスク２，３を進退移動させるためのガイドの役割を果たすことができる。さらに、図７に示すように、弁箱１の第１軸線Ｃ１と配管系１５の管軸を水平に配し、バルブステム４の第２軸線Ｃ２を鉛直に配した立置きに設置することで、配管系１５の流体圧がたとえば右向きに作用しても、図１の右側の弁箱ガイド１４，１４の摺接面１４Ａで右側のディスクガイド１２，１２の摺接面１２Ａを支えることによって、弁ディスク２，３を進退移動させるためのガイドの役割を果たすことができる。
【００１５】
すなわち、本発明に係るダブルディスクゲート弁は、横置きに対応することができるばかりか、平置きおよび立置きにも十分に対応することができる。
【００１６】
なお、前記実施の形態では、ディスクガイド１１，１１の摺接面１１Ａと弁箱ガイド１３，１３の摺接面１３Ａおよびディスクガイド１２，１２の摺接面１２Ａと弁箱ガイド１４，１４の摺接面１４Ａを第３軸線Ｃ３にθ＝４５゜の傾斜角で交差する方向に指向させているが、傾斜角θは４５゜にのみ限定されるものではなく１０゜〜８０゜の範囲内であれば前記実施の形態と同様の作用効果を奏することができる。
【００１７】
また、ディスクガイド１１，１１、１２，１２の摺接面１１Ａ，１２Ａと弁箱ガイド１３，１３、１４，１４の摺接面１３Ａ，１４Ａを、図１の平面上で第１軸線Ｃ１から離れるにつれて第３軸線Ｃ３に近付く方向に傾斜して第３軸線Ｃ３に交差させた構成で説明しているが、図２に示すように、ディスクガイド１１，１１、１２，１２の摺接面１１Ａ，１２Ａと弁箱ガイド１３，１３、１４，１４の摺接面１３Ａ，１４Ａを、第１軸線Ｃ１から離れるにつれて第３軸線Ｃ３から離れる方向にたとえば傾斜角θ＝４５゜で第３軸線Ｃ３に交差させるように構成してもよい。
【００１８】
【発明の効果】
以上説明したように、本発明に係るダブルディスクゲート弁は構成されているので、以下のような格別な効果を奏する。
【００１９】
すなわち、弁箱の第１軸線と配管系の管軸およびバルブステムの第２軸線を水平に配した横置きに設置することで、弁ディスクの重力が鉛直下向きに作用しても、下側の弁箱ガイドの摺接面で下側のディスクガイドの摺接面を支えて、弁ディスクを進退移動させるためのガイドの役割を果たすことができるので、横置きに設置する要望に答えることができるばかりか、平置きおよび立置きにも十分に対応することができる。
【図面の簡単な説明】
【図１】本発明の一実施の形態の要部を示す図５に相当する平面断面図である。
【図２】本発明の一実施の形態の要部を示す図５に相当する平面断面図である。
【図３】従来例の縦断側面図である。
【図４】従来例の半截正面図である。
【図５】図４のＡ−Ａ線に沿う拡大断面図である。
【図６】平置きの概略構成図である。
【図７】立置きの概略構成図である。
【図８】横置きの概略構成図である。
【符号の説明】
１　弁箱
２　弁ディスク
３　弁ディスク
４　バルブステム
６　ボンネット
１１　ディスクガイド
１１Ａ　摺接面
１２　ディスクガイド
１２Ａ　摺接面
１３　弁箱ガイド
１３Ａ　摺接面
１４　弁箱ガイド
１４Ａ　摺接面
Ｃ１　第１軸線
Ｃ２　第２軸線
Ｃ３　第３軸線
【図１】
2004036858.tif 000003
【図２】
2004036858.tif 000004
【図３】
2004036858.tif 000005
【図４】
2004036858.tif 000006
【図５】
2004036858.tif 000007
【図６】
2004036858.tif 000008
【図７】
2004036858.tif 000009
【図８】
2004036858.tif 000010